(57)【特許請求の範囲】
【請求項１】
ランプへ高周波電力を供給する高周波電力発生手段であってランプの光出力を連続的に調節する連続調光機能およびランプの光出力を複数段階で調節する段調光機能を備える高周波電力発生手段と、上記連続調光機能と上記段調光機能との切り換えを指示する無線信号よりなるリモコン信号を送信するリモコン送信器とを備え、
リモコン送信器の器体には、ランプを定格点灯させるために押操作される全灯スイッチと、ランプを規定の光出力で調光点灯させるために押操作される調光スイッチと、消灯させるために押操作される消灯スイッチと、ランプの光出力を連続的に増加させるために押操作されるアップスイッチと、ランプの光出力を連続的に減少させるために押操作されるダウンスイッチとが設けられ、
リモコン送信器は、全灯スイッチが押操作されるとランプの定格点灯を指示するリモコン信号を送信し、調光スイッチが押操作されるとランプの規定の光出力での調光点灯を指示するリモコン信号を送信し、消灯スイッチが押操作されると消灯を指示するリモコン信号を送信し、全灯スイッチ若しくは調光スイッチが押操作された後にアップスイッチが押操作されるとランプの光出力の増加を指示するリモコン信号を送信し、全灯スイッチ若しくは調光スイッチが押操作された後にダウンスイッチが押操作されるとランプの光出力の減少を指示するリモコン信号を送信するように構成され、
上記高周波電力発生手段は、上記リモコン送信器から送信されるリモコン信号に基づいて上記ランプの光出力を調節することを特徴とする照明器具。
【請求項２】
上記ランプは、２本の環形発光管が同心円状に配置され且つ接合されて１つの放電路が形成された高周波点灯専用形の二重環形蛍光ランプであることを特徴とする請求項１記載の照明器具。
【請求項３】
上記高周波電力発生手段は、スイッチング素子を含み、少なくともスイッチング素子の周波数を制御することにより上記ランプの光出力を調節することを特徴とする請求項１または請求項２記載の照明器具。
【請求項４】
上記高周波電力発生手段は、出力電圧が可変な直流電源と、スイッチング素子を含み上記直流電源の出力を高周波電力に変換して上記ランプへ供給するインバータとを備え、上記インバータにおける上記スイッチング素子の周波数を制御することにより上記ランプの光出力を調節し、光出力を規定出力以下の範囲で調節するときには上記スイッチング周波数の周波数と上記直流電源の出力電圧とをそれぞれ制御することを特徴とする請求項２記載の照明器具。
【請求項５】
上記高周波電力発生手段は、スイッチング素子を含み、上記スイッチング素子の周波数を制御することにより上記ランプの光出力を調節し、光出力を規定出力以下の範囲で調節するときには上記スイッチング素子の周波数と上記スイッチング素子のデューティとをそれぞれ制御することを特徴とする請求項２記載の照明器具。
【発明の詳細な説明】
【０００１】
【発明の属する技術分野】
本発明は、光出力を調節可能な照明器具に関するものである。
【０００２】
【従来の技術】
従来より、住宅用の照明器具として、器具本体に保持された蛍光ランプの光出力を複数段階で調節可能な照明器具が提供されている。
【０００３】
【発明が解決しようとする課題】
ところで、快適に暮らすための明るさは人それぞれであるから、照明器具が設置される部屋ごとに必要とされる明るさは異なる場合が多いが、上記従来の照明器具では、ユーザはメーカ側が設定した複数段階の光出力でしか明るさを切り換えることができないので、ユーザのニーズに応じた明るさを提供することができないことがあった。
【０００４】
本発明は上記事由に鑑みて為されたものであり、その目的は、ユーザのニーズに応じた明るさを実現可能な照明器具を提供することにある。
【０００５】
【課題を解決するための手段】
請求項１の発明は、上記目的を達成するために、ランプへ高周波電力を供給する高周波電力発生手段であってランプの光出力を連続的に調節する連続調光機能およびランプの光出力を複数段階で調節する段調光機能を備える高周波電力発生手段と、上記連続調光機能と上記段調光機能との切り換えを指示する無線信号よりなるリモコン信号を送信するリモコン送信器とを備え、リモコン送信器の器体には、ランプを定格点灯させるために押操作される全灯スイッチと、ランプを規定の光出力で調光点灯させるために押操作される調光スイッチと、消灯させるために押操作される消灯スイッチと、ランプの光出力を連続的に増加させるために押操作されるアップスイッチと、ランプの光出力を連続的に減少させるために押操作されるダウンスイッチとが設けられ、リモコン送信器は、全灯スイッチが押操作されるとランプの定格点灯を指示するリモコン信号を送信し、調光スイッチが押操作されるとランプの規定の光出力での調光点灯を指示するリモコン信号を送信し、消灯スイッチが押操作されると消灯を指示するリモコン信号を送信し、全灯スイッチ若しくは調光スイッチが押操作された後にアップスイッチが押操作されるとランプの光出力の増加を指示するリモコン信号を送信し、全灯スイッチ若しくは調光スイッチが押操作された後にダウンスイッチが押操作されるとランプの光出力の減少を指示するリモコン信号を送信するように構成され、上記高周波電力発生手段は、上記リモコン送信器から送信されるリモコン信号に基づいて上記ランプの光出力を調節することを特徴とするものであり、ランプの光出力を連続的に調節する連続調光機能を備えていることにより、ユーザのニーズに応じた明るさを実現することができ、また、ランプの光出力を複数段階で調節する段調光機能を備えていることにより、ランプの光出力を複数段階で簡単に調節することができ、省エネルギ化を図ることができる。
【０００６】
また、リモコン送信器によって上記連続調光機能と上記段調光機能との切り換えを指示することができる。
【０００７】
請求項２の発明は、請求項１の発明において、上記ランプは、２本の環形発光管が同心円状に配置され且つ接合されて１つの放電路が形成された高周波点灯専用形の二重環形蛍光ランプなので、一般的な環形蛍光ランプに比べて放電路を長くすることができ、消費電力当たりの光出力を高めることができる。
【０００８】
請求項３の発明は、請求項１または請求項２の発明において、上記高周波電力発生手段は、スイッチング素子を含み、少なくともスイッチング素子の周波数を制御することにより上記ランプの光出力を調節するので、少なくともスイッチング素子の周波数を変化させることによって上記ランプの光出力を調節することができる。
【０００９】
請求項４の発明は、請求項２の発明において、上記高周波電力発生手段は、出力電圧が可変な直流電源と、スイッチング素子を含み上記直流電源の出力を高周波電力に変換して上記ランプへ供給するインバータとを備え、上記インバータにおける上記スイッチング素子の周波数を制御することにより上記ランプの光出力を調節し、光出力を規定出力以下の範囲で調節するときには上記スイッチング周波数の周波数と上記直流電源の出力電圧とをそれぞれ制御するので、スイッチング素子の周波数を変化させることによって上記ランプの光出力を調節することができ、光出力を規定出力以下の範囲で調節するときには上記スイッチング周波数の周波数と上記直流電源の出力電圧とをそれぞれ変化させることによって安定して光出力を調節することができる。
【００１０】
請求項５の発明は、請求項２の発明において、上記高周波電力発生手段は、スイッチング素子を含み、上記スイッチング素子の周波数を制御することにより上記ランプの光出力を調節し、光出力を規定出力以下の範囲で調節するときには上記スイッチング素子の周波数と上記スイッチング素子のデューティとをそれぞれ制御するので、スイッチング素子の周波数を変化させることによって上記ランプの光出力を調節することができ、光出力を規定出力以下の範囲で調節するときには上記スイッチング素子の周波数と上記スイッチング素子のデューティとをそれぞれ変化させることによって安定して光出力を調節することができる。
【００１１】
【発明の実施の形態】
本実施形態の照明器具は、図１および図２に示すように、円板状の器具本体１と、器具本体１において天井面のような施工面と反対側に保持される蛍光ランプＬａと、ランプソケット２を介して蛍光ランプＬａへ高周波電力を供給して点灯させる点灯装置３と、補助灯としての豆球Ｌｂと、リモコン送信器１０から送信される無線信号（例えば赤外線信号）よりなるリモコン信号を受信する後述の受信部４と、蛍光ランプＬａおよび受信部（受光部）４を覆うように器具本体１に取り付けられるドーム状のグローブ６とを備えている。なお、蛍光ランプＬａはランプソケット２により支持される。また、豆球Ｌｂは、図示しない豆球点灯回路により点灯される。
【００１２】
ところで、本実施形態では、蛍光ランプＬａとして、２本の環形発光管７，７が同心円状に配置され且つ接合されて１つの放電路が形成された高周波点灯専用形の二重環形蛍光ランプを用いている。すなわち、蛍光ランプＬａは、一端部にフィラメント（図示せず）を有し、他端部に閉塞部（図示せず）を有する２本の環形発光管７，７が同心円状に配置され、両環形発光管７の閉塞部の近傍がブリッジ接合部（図示せず）によって接合されて内部に１つの放電路が形成され、さらに環形発光管７の一端部と他端部とを包囲する口金８が設けられたものであり、上記閉塞部に最冷点が形成される。この種の蛍光ランプＬａは、従来の環形蛍光ランプに比べて放電路を長くすることができ、消費電力当たりの光出力を高めることができる。例えば、高周波点灯専用形の二重環形蛍光ランプでは、従来の環形蛍光ランプであるＦＣＬ４０Ｗと同管径でありながら９７Ｗの高出力タイプのものがあり、９７Ｗの高出力タイプの二重環形蛍光ランプではＦＣＬ３０ＷとＦＣＬ３２ＷとＦＣＬ４０Ｗとを合わせた光束以上の光束が得られる。したがって、本実施形態で用いている蛍光ランプＬａでは従来の環形蛍光ランプよりも少ない消費電力で従来の環形蛍光ランプと同じ明るさを実現することができ、光出力の調節範囲を広くとることが可能となるのである。また、器具本体１の大きさを変えることなしに従来の環形蛍光ランプを用いた照明器具に比べてより明るくすることができる。
【００１３】
リモコン送信器１０は、片手で持つことができる程度の大きさに形成された偏平な器体１１を備え、器体１１の前面には、蛍光ランプＬａを定格点灯させるために押操作される全灯スイッチ１２と、蛍光ランプＬａを規定の光出力（調光レベル）で調光点灯させるために押操作される調光スイッチ１３と、豆球Ｌｂを点灯させるために押操作される豆球スイッチ１４と、消灯させるために押操作される消灯スイッチ１５と、蛍光ランプＬａの光出力を連続的に増加させるために押操作されるアップスイッチＫ１と、蛍光ランプＬａの光出力を連続的に減少させるために押操作されるダウンスイッチＫ２とが設けられている。すなわち、リモコン送信器１０は、全灯スイッチ１２が押操作されると蛍光ランプＬａの定格点灯を指示するリモコン信号が送信され、調光スイッチ１３が押操作されると蛍光ランプＬａの規定の光出力での調光点灯を指示するリモコン信号が送信され、豆球スイッチ１４が押操作されると豆球Ｌｂの点灯を指示するリモコン信号が送信され、消灯スイッチ１５が押操作されると消灯を指示するリモコン信号が送信され、全灯スイッチ１２若しくは調光スイッチ１３が押操作された後にアップスイッチＫ１が押操作されると蛍光ランプＬａの光出力の増加を指示するリモコン信号が送信され、全灯スイッチ１２若しくは調光スイッチ１３が押操作された後にダウンスイッチＫ２が押操作されると蛍光ランプＬａの光出力の減少を指示するリモコン信号が送信される。すなわち、アップスイッチＫ１、ダウンスイッチＫ２を押操作することにより蛍光灯Ｌａの光出力を連続的に変化させることができる。言い換えれば、アップスイッチＫ１、ダウンスイッチＫ２を押操作することにより明るさを連続的に変化させることができる。なお、各スイッチ１２〜１５，Ｋ１，Ｋ２の操作部はそれぞれ押釦となっている。
【００１４】
ところで、上述の点灯装置２は、図３に示すように、商用電源Ｖｓを整流するダイオードブリッジよりなる整流器ＤＢと、整流器ＤＢの出力端間に接続されたＤＣ−ＤＣコンバータ２１と、ＤＣ−ＤＣコンバータ２１の出力を高周波電力に変換して蛍光ランプＬａへ供給するインバータ２２とを備えている。なお、本実施形態では、ＤＣ−ＤＣコンバータ２１により出力電圧が可変な直流電源を構成している。
【００１５】
ＤＣ−ＤＣコンバータ２１の回路構成は特に限定するものではなくて少なくとも１つのスイッチング素子を含んでいればよく、図示例におけるＤＣ−ＤＣコンバータ２１は昇圧チョッパ回路であって、インダクタＬ１と半導体スイッチ素子（例えば、ＭＯＳＦＥＴ）よりなるスイッチング素子Ｑ１とダイオードＤ１と平滑コンデンサＣ１とを備えている。
【００１６】
また、インバータ２２の回路構成も特に限定するものではなくて少なくとも１つのスイッチング素子を含んでいればよく、図示例におけるインバータ２２は、半導体スイッチ素子（例えば、ＭＯＳＦＥＴ）よりなる２つのスイッチング素子Ｑ２，Ｑ３の直列回路をＤＣ−ＤＣコンバータ２１の出力端間に接続するとともに、スイッチング素子Ｑ２の両端間にインダクタＬ２とコンデンサＣ２との直列回路からなるＬＣ共振回路を接続し、コンデンサＣ２に蛍光ランプＬａが並列接続されており、ＬＣ共振回路の固有振動周波数以上の周波数で発振を行うようになっているので、スイッチング素子Ｑ２，Ｑ３の周波数が高くなるにつれて蛍光ランプＬａの光出力は減光されることになる。
【００１７】
ところで、スイッチング素子Ｑ１，Ｑ２，Ｑ３のオンオフは、制御回路ＣＮによって制御される。ここにおいて、制御回路ＣＮは、リモコン送信器１０から送信されるリモコン信号を受信する受信部４の出力信号に基づいてスイッチング素子Ｑ１，Ｑ２，Ｑ３を制御するようになっている。一方、受信部４は、リモコン送信器１０からのリモコン信号を直流電圧に変換して出力するように構成されており、制御回路ＣＮは、受信部４から入力される直流電圧の変化に応じて蛍光ランプＬａの光出力が調節されるようにインバータ２２のスイッチング素子Ｑ２，Ｑ３の発振周波数を制御するＶ／Ｆ変換（電圧−周波数変換）機能を有している。
【００１８】
すなわち、本実施形態の照明器具では、リモコン送信器１０の全灯スイッチ１２を押操作すると蛍光ランプＬａが定格点灯し、調光スイッチ１３を押操作すると蛍光ランプＬａが規定の調光レベルで調光点灯するので、蛍光ランプＬａの光出力を２段階で切り換えることができるのである。また、蛍光ランプＬａが定格点灯または調光点灯された状態で、アップスイッチＫ１を押操作することにより蛍光ランプＬａの光出力を連続的に増加させることができ、ダウンスイッチＫ２を押操作することにより蛍光ランプＬａの光出力を連続的に減少させることができる。なお、本実施形態では、点灯装置３が、ランプたる蛍光ランプＬａへ高周波電力を供給する高周波電力発生手段を構成しており、ランプの光出力を連続的に調節する連続調光機能と、ランプの光出力を複数段階で調節する段調光機能とを備えている。ここにおいて、ランプの光出力を連続的に調節するとは、ランプの光出力が人間の目に連続して調節されているように見えることを意味しており、実際には断続的であっても人間の目が追随できずに断続的であると感じなければ連続的に調節されているとみなすことを意味している。
【００１９】
しかして、本実施形態の照明器具では、蛍光ランプＬａを１つしか備えていないにもかかわらず、ユーザのニーズに応じた明るさを実現することができ、しかも、明るさを２段階で切り換えることもできるから明るさを２段階で簡単に調節することができ適宜に省エネルギ化を図ることができる。言い換えれば、１つの蛍光ランプＬａ（つまり、１つの光源）でユーザのニーズに応じた明るさを実現することが可能となるのである。なお、本実施形態では、明るさを２段階で切り換えることができるようになっているが、３段階以上で切り換えることができるようにしてもよい。
【００２０】
ところで、本実施形態の照明器具では、蛍光ランプＬａとして高周波点灯専用形の二重環形蛍光ランプを採用しているが、この種の二重環形蛍光ランプは点灯時の管電圧が比較的高いので、蛍光ランプＬａとして例えば７０Ｗ形または１００Ｗ形の二重環形蛍光ランプを使用すると、深く減光したときに点灯維持が難しくなる。そこで、本実施形態においては、蛍光ランプＬａの光出力を規定出力以下の範囲で調節するときには、制御回路ＣＮによりＤＣ−ＤＣコンバータ２１の出力電圧も変化させることによって点灯が維持され安定した制御が得られるようにしている。なお、本実施形態では、蛍光ランプＬａの光出力を定格出力から規定出力までの範囲で調節するときにはスイッチング素子Ｑ２，Ｑ３の周波数のみを変化させ、規定出力以下の範囲で調節するときにはスイッチング素子Ｑ２，Ｑ３の周波数は規定出力のときの周波数としてＤＣ−ＤＣコンバータ２１の出力電圧のみを変化させている。ただし、規定出力以下の範囲で調節するときにスイッチング素子Ｑ２，Ｑ３の周波数を変化させていないが、規定出力以下のときのスイッチング素子Ｑ２，Ｑ３の周波数は定格出力のときのスイッチング素子Ｑ２，Ｑ３の周波数から見れば高くなっている。
【００２１】
ここに、制御回路ＣＮは、蛍光ランプＬａの光出力を定格出力の１００％から規定出力たる５０％までの範囲で減光するときにはスイッチング素子Ｑ２，Ｑ３の周波数を増加させ、光出力を５０％から３０％までの範囲で減光するときにはスイッチング素子Ｑ２，Ｑ３の周波数は光出力が５０％のときから変化させずにＤＣ−ＤＣコンバータ２１のスイッチング素子Ｑ１を制御することによりＤＣ−ＤＣコンバータ２１の出力電圧を減少させるような制御を行う。言い換えれば、インバータ２２の電源を減少させるような制御を行う。したがって、深く調光するときでも、周波数をあまり変化させずにすむので、蛍光ランプＬａの点灯維持電圧を保ちつつ減光を行うことが可能となる。図４（ａ）〜（ｃ）は両スイッチング素子Ｑ２，Ｑ３の接続点の電位を示し、（ａ）は光出力が１００％のとき、（ｂ）は５０％のとき、（ｃ）は３０％のときの電位を示している。
【００２２】
ところで、上記実施形態では、蛍光ランプＬａの光出力を規定出力以下の範囲で調節するときに、制御回路ＣＮによりＤＣ−ＤＣコンバータ２１の出力電圧も変化させることによって点灯が維持され安定した制御が得られるようにしているが、ＤＣ−ＤＣコンバータ２１の出力電圧を変化させる代わりに、インバータ２２のスイッチング素子Ｑ２，Ｑ３のオン幅をアンバランスにすることによって安定した制御が得られるようにしてもよい。すなわち、蛍光ランプＬａの光出力を定格出力から規定出力までの範囲で調節するときにはスイッチング素子Ｑ２，Ｑ３の周波数のみを変化させ、規定出力以下の範囲で調節するときにはスイッチング素子Ｑ２，Ｑ３の周波数は規定出力のときの周波数としてオン幅を変化させるようにしてもよい。なお、規定出力以下の範囲で調節するときにスイッチング素子Ｑ２，Ｑ３の周波数を変化させていないが、規定出力以下のときのスイッチング素子Ｑ２，Ｑ３の周波数は定格出力のときのスイッチング素子Ｑ２，Ｑ３の周波数から見れば高くなっている。
【００２３】
この場合、制御回路ＣＮは、蛍光ランプＬａの光出力を定格出力の１００％から規定出力たる５０％までの範囲で減光するときにはスイッチング素子Ｑ２，Ｑ３の周波数を増加させ、光出力を５０％から３０％までの範囲で減光するときには周波数は光出力が５０％のときの周波数から変化させずにオンオフのデューティを変化させることにより減光を続ける。したがって、深く調光するときでも、周波数をあまり変化させずにすむので、蛍光ランプＬａの点灯維持電圧を保ちつつ減光を行うことが可能となる。図５（ａ）〜（ｃ）は両スイッチング素子Ｑ２，Ｑ３の接続点の電位を示し、（ａ）は光出力が１００％のとき、（ｂ）は５０％のとき、（ｃ）は３０％のときの電位を示している。なお、図５（ａ）〜（ｃ）中のＴONはオン幅、ＴOFFはオフ幅であり、蛍光ランプＬａの光出力を定格出力の１００％にするときには、図５（ａ）に示すようにＴONとＴOFFとを略等しく設定してあり（オンデューティを略５０％に設定してあり）、光出力を５０％に減光するときには図５（ｂ）に示すようにＴONとＴOFFとの比は一定（オンデューティは５０％のまま）で周波数を増加させ、光出力を３０％に減光するときには図５（ｃ）に示すようにＴONとＴOFFとの和は５０％の時と同じでＴONとＴOFFとがアンバランス（ＴON＞ＴOFF）になるように設定してある。
【００２４】
【発明の効果】
請求項１の発明は、ランプへ高周波電力を供給する高周波電力発生手段であってランプの光出力を連続的に調節する連続調光機能およびランプの光出力を複数段階で調節する段調光機能を備える高周波電力発生手段と、上記連続調光機能と上記段調光機能との切り換えを指示する無線信号よりなるリモコン信号を送信するリモコン送信器とを備え、リモコン送信器の器体には、ランプを定格点灯させるために押操作される全灯スイッチと、ランプを規定の光出力で調光点灯させるために押操作される調光スイッチと、消灯させるために押操作される消灯スイッチと、ランプの光出力を連続的に増加させるために押操作されるアップスイッチと、ランプの光出力を連続的に減少させるために押操作されるダウンスイッチとが設けられ、リモコン送信器は、全灯スイッチが押操作されるとランプの定格点灯を指示するリモコン信号を送信し、調光スイッチが押操作されるとランプの規定の光出力での調光点灯を指示するリモコン信号を送信し、消灯スイッチが押操作されると消灯を指示するリモコン信号を送信し、全灯スイッチ若しくは調光スイッチが押操作された後にアップスイッチが押操作されるとランプの光出力の増加を指示するリモコン信号を送信し、全灯スイッチ若しくは調光スイッチが押操作された後にダウンスイッチが押操作されるとランプの光出力の減少を指示するリモコン信号を送信するように構成され、上記高周波電力発生手段は、上記リモコン送信器から送信されるリモコン信号に基づいて上記ランプの光出力を調節することを特徴とするものであり、ランプの光出力を連続的に調節する連続調光機能を備えていることにより、ユーザのニーズに応じた明るさを実現することができるという効果があり、また、ランプの光出力を複数段階で調節する段調光機能を備えていることにより、ランプの光出力を複数段階で簡単に調節することができ、省エネルギ化を図ることができるという効果がある。
【００２５】
また、リモコン送信器によって上記連続調光機能と上記段調光機能との切り換えを指示することができるという効果がある。
【００２６】
請求項２の発明は、請求項１の発明において、上記ランプは、２本の環形発光管が同心円状に配置され且つ接合されて１つの放電路が形成された高周波点灯専用形の二重環形蛍光ランプなので、一般的な環形蛍光ランプに比べて放電路を長くすることができ、消費電力当たりの光出力を高めることができるという効果がある。
【００２７】
請求項３の発明は、請求項１または請求項２の発明において、上記高周波電力発生手段は、スイッチング素子を含み、少なくともスイッチング素子の周波数を制御することにより上記ランプの光出力を調節するので、少なくともスイッチング素子の周波数を変化させることによって上記ランプの光出力を調節することができるという効果がある。
【００２８】
請求項４の発明は、請求項２の発明において、上記高周波電力発生手段は、出力電圧が可変な直流電源と、スイッチング素子を含み上記直流電源の出力を高周波電力に変換して上記ランプへ供給するインバータとを備え、上記インバータにおける上記スイッチング素子の周波数を制御することにより上記ランプの光出力を調節し、光出力を規定出力以下の範囲で調節するときには上記スイッチング周波数の周波数と上記直流電源の出力電圧とをそれぞれ制御するので、スイッチング素子の周波数を変化させることによって上記ランプの光出力を調節することができ、光出力を規定出力以下の範囲で調節するときには上記スイッチング周波数の周波数と上記直流電源の出力電圧とをそれぞれ変化させることによって安定して光出力を調節することができるという効果がある。
【００２９】
請求項５の発明は、請求項２の発明において、上記高周波電力発生手段は、スイッチング素子を含み、上記スイッチング素子の周波数を制御することにより上記ランプの光出力を調節し、光出力を規定出力以下の範囲で調節するときには上記スイッチング素子の周波数と上記スイッチング素子のデューティとをそれぞれ制御するので、スイッチング素子の周波数を変化させることによって上記ランプの光出力を調節することができ、光出力を規定出力以下の範囲で調節するときには上記スイッチング素子の周波数と上記スイッチング素子のデューティとをそれぞれ変化させることによって安定して光出力を調節することができるという効果がある。
【図面の簡単な説明】
【図１】実施形態を示す要部概略構成図である。
【図２】同上の概略構成図である。
【図３】同上における点灯装置の回路図である。
【図４】同上の動作説明図である。
【図５】同上の他の構成例における動作説明図である。
【符号の説明】
１  器具本体
２  ランプソケット
３  点灯装置
４  受信部
７  環形発光管
１０  リモコン送信器
１１  器体
１２  全灯スイッチ
１３  調光スイッチ
１４  豆球スイッチ
１５  消灯スイッチ
Ｋ１  アップスイッチ
Ｋ２  ダウンスイッチ
Ｌａ  蛍光ランプ
【図１】
0003972569.tif 000002
【図２】
0003972569.tif 000003
【図３】
0003972569.tif 000004
【図４】
0003972569.tif 000005
【図５】
0003972569.tif 000006